(57)【特許請求の範囲】
【請求項１】
天井と床面にそれぞれ固定した天レールと地レール間に複数の支柱を立設し、該支柱を介してパネルを取付けるとともに、パネルの下部を前記支柱の下端部に取付けたパネル受具によって支持し、隣接するパネルの上端部同士と支柱の上端部とを天連結具にて連結してなる壁面パネル装置であって、前記支柱は支柱部の少なくとも前面に該支柱部から突出した首部と該首部の両側に突出した係合部とを有する断面略Ｔ字形の保持部を有し且つ前記首部の下端部にスリットを形成し、前記パネルは表面板の両側縁に前記保持部に嵌合するＵ字溝部を設けた係合縁を有し且つ該係合縁の下部に切欠部を有し、前記パネル受具は前記保持部を突設していない支柱部の側面に接合する基板の両側に折曲板を直角に形成し且つ両側下部に前記スリットに挿入する突片を直角に延設するとともに、上端両側部に前記パネルの係合縁の下端を載置する水平な支持片を折曲形成し且つ該支持片の外側縁に逆Ｊ字形の弾片を立ち上げ形成し、更に上部に前記支持片を補強するための折曲片を折曲形成したものであり、前記係合縁の下端を当該パネル受具の支持片で載支するとともに、前記弾片を前記表面板とＵ字溝部との間に嵌入してなることを特徴とする壁面パネル装置。
【請求項２】
前記パネル受具の支持片には、前記支柱の保持部の係合部を受け入れる平面視Ｕ字形の切欠を形成してなる請求項１記載の壁面パネル装置。
【発明の詳細な説明】
【０００１】
【発明の属する技術分野】
本発明は、室内空間の間仕切壁又は構造壁面に沿って設けて化粧壁を形成する壁面パネル装置に係わり、更に詳しくは立設した支柱にパネルを装着するとともに、該パネルの下部を支持してなる壁面パネル装置に関する。
【０００２】
【従来の技術】
従来、実公平７−９９３４号公報にて開示される如く、互いに平行をなして垂直に立起する下パネルに上パネルを載せ、連結部材を介して上，下パネルを連結する連結構造において、上パネルには表面材を屈曲させて裏面側にて下方へ伸びた係止片を設け、下パネルには裏打材上端との間に空間を設けて表面材をＬ型に屈曲して係止片を形成し、該係止片には窪みを加工してその底に嵌入孔を穿設し、一方、両下パネルの裏面に当接して上記嵌入孔に嵌入するカギを持った連結具を下パネル上端に取付け、該連結具の両側片上端から水平に伸びた係止片は下パネルの係止片上面から突出しないように窪み内に納められ、上記連結具には内枠を載せてその両側片を上パネルの裏面に当接し、上パネルの係止片を内枠側片と連結具側片の間に形成した隙間に嵌入してなる連結構造が提供されている。
【０００３】
しかし、前述の連結構造は、支柱とは関係のないパネルの横方向中間の位置で上，下パネルを連結するものであり、パネルの面外方向からの振動や衝突等による外力が加わった際に、その力に抗してパネルの連結部分を維持するものではない。
【０００４】
また、実公平７−４０００３号公報にて開示される如く、両側縦枠間に渡設した中間枠の幅方向両側に係止用スリットを形成した枠体と、前記スリットに挿入されうる大きさで側面に幅方向移動用切欠を有する水平片の先端に係止用垂直片を立設してなるＬ型受金具と、上下に分割した複数のパネルとからなり、そして前記各パネルは、上端内面側には、板材を上端で折り返し上端面を構成するとともに、これを更に下方並びに後方へ延設してＬ型係止片を作り、該Ｌ型係止片における垂直片を前記Ｌ型受金具の支持片とし、且つ前記Ｌ型係止片の水平片と前記Ｌ型受金具と当接する部分を切欠して幅方向移動規制部としてなり、一方、下端内面側には、前記上端と同様に板材を下端で折り返し下端面を構成するとともに、該下端面先端を下方へ延設して脚片を作り、該脚片の垂設位置は、前記Ｌ型受金具に載支したときに下位のパネルのＬ型係止片の水平片先端に当接する位置関係に設定し、且つ前記脚片における前記Ｌ型受金具が当接する部分を切欠して幅方向移動規制用段部としたものである。
【０００５】
しかし、前述の公報記載のＬ型受金具は、水平片を中間枠の係止用スリットに挿入し、幅方向移動規制用切欠を前記スリットの一側縁に係止した状態で仮止めし、下パネルの下向き係止片をＬ型受金具の垂直片に係止し、それから上パネルの下向き脚片を前記水平片に載支し且つ脚片の幅方向移動規制用段部を前記水平片の一側縁に当止し、前記スリットからＬ型受金具の外れを防止する構造であるので、上下のガタつきは避けられず、またパネルを取付ける際にＬ型受金具が幅方向に移動したり、更には不意に抜け落ちる場合もあり、施工性に若干の問題を有するのである。
【０００６】
【発明が解決しようとする課題】
本発明が前述の状況に鑑み、解決しようとするところは、立起保持した支柱の下部にパネルの下部を簡単且つ確実に支持することが可能な壁面パネル装置を提供する点にある。
【０００７】
【課題を解決するための手段】
本発明は、前述の課題解決のために、天井と床面にそれぞれ固定した天レールと地レール間に複数の支柱を立設し、該支柱を介してパネルを取付けるとともに、パネルの下部を前記支柱の下端部に取付けたパネル受具によって支持し、隣接するパネルの上端部同士と支柱の上端部とを天連結具にて連結してなる壁面パネル装置であって、前記支柱は支柱部の少なくとも前面に該支柱部から突出した首部と該首部の両側に突出した係合部とを有する断面略Ｔ字形の保持部を有し且つ前記首部の下端部にスリットを形成し、前記パネルは表面板の両側縁に前記保持部に嵌合するＵ字溝部を設けた係合縁を有し且つ該係合縁の下部に切欠部を有し、前記パネル受具は前記保持部を突設していない支柱部の側面に接合する基板の両側に折曲板を直角に形成し且つ両側下部に前記スリットに挿入する突片を直角に延設するとともに、上端両側部に前記パネルの係合縁の下端を載置する水平な支持片を折曲形成し且つ該支持片の外側縁に逆Ｊ字形の弾片を立ち上げ形成し、更に上部に前記支持片を補強するための折曲片を折曲形成したものであり、前記係合縁の下端を当該パネル受具の支持片で載支するとともに、前記弾片を前記表面板とＵ字溝部との間に嵌入してなる壁面パネル装置を構成した。
ここで、前記パネル受具の支持片には、前記支柱の保持部の係合部を受け入れる平面視Ｕ字形の切欠を形成してなることが好ましい。
【０００８】
【発明の実施の形態】
次に本発明の実施形態を添付図面に基づき更に詳細に説明する。図１は本発明に係る壁面パネル装置の分解斜視図であり、図中符号１は天レール、２は地レール、３は支柱、４は横桟、５Ａは下パネル、５Ｂは上パネルをそれぞれ示している。
【０００９】
本発明に係る壁面パネル装置は、天井と床面にそれぞれ天レール１と地レール２とを固定し、該天レール１と地レール２間に、複数の支柱３，…を立設するとともに、隣接する支柱３，３間に横桟４を取付けて両支柱３，３の間隔を一定に設定し、そして両支柱３，３の表裏両面側又は表面側に下パネル５Ａと上パネル５Ｂを取付けて、室内空間に間仕切壁を構成したり、構造壁面に沿って形成して化粧壁を構成したりするものである。
【００１０】
前記支柱３には、その下端にアジャスター部材６を嵌着するとともに、下パネル５Ａの下部を支持するパネル受具７を固定し、その上端に天固定部材８を嵌着するとともに、上パネル５Ｂの上部を支持し、支柱３を介して隣接する上パネル５Ｂ，５Ｂ同士を連結するための天連結具９を取付けている。また、隣接した支柱３，３間には、金属製のブラケット１０と合成樹脂製の保持部材１１とで前記横桟４を架設している。そして、下パネル５Ａの両側上端部と上パネル５Ｂの両側下端部は、それぞれ支柱３の上下中間位置であって側面側に取付けた中間連結具１２によって互いに連結し且つ支柱３に強固に取付けている。
【００１１】
更に詳しく本発明に係る壁面パネル装置の各部材を以下に説明する。先ず、前記天レール１は、下方開放した断面コ字形の長尺部材で天井にネジ止め等の適宜な固定手段で固定するものあり、その下方へ向いた凹溝１Ｂ内に前記天固定部材８を受け入れて支柱３を立起状態に保持する。また、前記地レール２は、上方開放した断面コ字形の長尺部材で床面にネジ止め等の適宜な固定手段で固定するものあり、その上方へ向いた凹溝２Ｂ内に前記アジャスター部材６を受け入れて支柱３を立起状態に保持する。
【００１２】
また、前記支柱３は、図１、図２、図４、図５及び図６に示すように、断面略正方形の中空の支柱部１３を有し、該支柱部１３の表裏両面の中央部に沿って断面略Ｔ字形の保持部１４を一体形成したものである。ここで、前記保持部１４は、支柱部１３から突出した首部１４Ａと、該首部１４Ａの両側に突出した係合部１４Ｂ，１４Ｂとを有している。本実施形態では、前記支柱３はスチール板を折曲形成して作製したものを例示したが、アルミニウム製で押出し成形したものでも勿論構わない。
【００１３】
また、前記下パネル５Ａと上パネル５Ｂは、図１、図２、図４及び図９に示すように、上下寸法が異なる以外は同一の構造を有し、スチール板の周囲を内向きに折曲形成して作製し、表面板１５の周囲に背面側へ縁板１６を直角に折曲形成するとともに、両側部の縁板１６，１６の端縁を内方へ折曲し、その内縁を断面Ｕ字状に折返して弾性を有する係合縁１７を形成し、更に前記表面板１５の背面側にその周囲を余して石膏ボード１８を接着した構造である。そして、前記係合縁１７は、前記支柱３の係合部１４Ｂに係合するＵ字溝部１７Ａと、該Ｕ字溝部１７Ａに連続して内方へ断面Ｖ字状に折り返した案内部１７Ｂとを有している。また、前記係合縁１７の上下部と、それに連続する上下縁板１６，１６の両端部及び両側の縁板１６，１６の一部を切り欠いて切欠部１９を形成している。
【００１４】
前記アジャスター部材６は、図１〜図３に示すように、前記支柱３の支柱部１３の下端部に嵌挿するアジャスター受具２０と、該アジャスター受具２０に螺合したアジャスターボルト２１とからなり、前記アジャスター受具２０の両側面の上部には、支柱部１３の内面に密嵌状態で当接する一対の垂直な圧接片２２，２２を切起し形成するとともに、その下方に前記支柱部１３の下端を当止する三角ダボ２３を切起し形成している。
【００１５】
前記天固定部材８は、図１、図４、図１２及び図１３に示すように、前記支柱３の支柱部１３の上端部に弾性状態で嵌挿する断面コ字形の部材であり、対向する前後両面に支柱部１３の内面に圧接し、また天レール１の両垂直板１Ａ，１Ａの内面に圧接する凸部２４を複数形成するとともに、上端には天レール１及び天井にネジ止めするための固定片２５を折曲形成している。尚、この天固定部材８は、支柱３の上端部に嵌着しておき、該支柱３を立起状態となした後に、突き上げて上方へスライドさせて天レール１の凹溝１Ｂ内に当接させるものであるが、壁面パネル装置の端部に位置する支柱３に設けたものにあっては、前記固定片２５，２５を利用して天レール１及び天井にネジ止め固定する。
【００１６】
そして、前記支柱３を上下の天レール１と地レール２間に立設するには、以下のようにして行う。先ず、各アジャスター部材６を上下反転させて地レール２の凹溝２Ｂ内に載置し、各アジャスターボルト２１を回転させてその上面のレベル出しを行う。それから、アジャスター部材６を上下反転させて所定の支柱３の支柱部１３の下端部に嵌入し、該支柱部１３の下端が三角ダボ２３に当たるまで挿入し（図３及び図１０参照）、また各支柱３の支柱部１３の上端部には前述の天固定部材８を嵌着する。次に、支柱３を傾斜させた状態で、アジャスター部材６を地レール２の凹溝２Ｂ内に配し、それから支柱３を立起させて天固定部材８を天レール１の凹溝１Ｂ内に配する。そして、前記天固定部材８を天レール１に当接するまで上方へ突き上げて、支柱３を立起状態に保持する（図１２及び図１３参照）。この場合、前記支柱３の上下端部における各首部１４Ａにスリット２６，…を形成し、該スリット２６内に対応する天レール１の両垂直板１Ａ，１Ａと地レール２の両垂直板２Ａ，２Ａを嵌挿する。
【００１７】
このように略一定間隔に複数の支柱３，…を立設した後、隣接する支柱３，３間に前記横桟４を架設して、該支柱３，３の間隔を正確に一定に設定する。前記横桟４は、図１、図５〜図７に示すように、上面板２７とその前後両縁から垂下した側面板２８，２８とからなる下方開放した断面コ字形の長尺部材であり、前記上面板２７の両端部には嵌合孔２９を形成するとともに、該嵌合孔２９よりも中央寄りに配線用の開口３０を形成している。
【００１８】
また、前記ブラケット１０は、水平な載置板３１と垂直な支持板３２とで正面視倒Ｌ字形に形成した部材であり、前記載置板３１の基端部両側に上向き突片３３，３３を切起し形成するとともに、前記支持板３２の下端部両側に横向き突片３４，３４を折曲形成し、更に前記載置板３１の遊端側であって、略中央部に上向きに係合片３５を切起し形成したものである。一方、前記上向き突片３３，３３及び横向き突片３４，３４を係合する前記支柱３の両側面に、４つの係止孔３６，…を形成している。
【００１９】
また、前記保持部材１１は、合成樹脂製で一体成形したものであり、前記ブラケット１０の載置板３１に上方から外嵌する凹部３７を下面側に形成するとともに、前記係合片３５を嵌入する孔を中心部に有し且つ前記横桟４の嵌合孔２９に抜け止め嵌合する嵌合突部３８を突設し、更に支柱３の側面側に対面する前後端縁に沿って、該支柱３の側面に当接し且つ横桟４の側面板２８，２８の端縁に当接するスペーサー３９をそれぞれ突設している。尚、前記嵌合突部３８は、外周に前記横桟４の上面板２７の嵌合孔２９の上側孔縁に係止する三角形状の突部３８Ａを有するとともに、十文字状のスリット３８Ｂを形成し、内外に弾力性を持たせている。
【００２０】
そして、隣接する支柱３，３間に横桟４を架設するには、先ずブラケット１０を傾斜させた状態で上向き突片３３，３３を支柱３の上側の係止孔３６，３６に挿入した後、該ブラケット１０の載置板３１が水平になるように上向き突片３３を中心として回転させて横向き突片３４，３４を下方の係止孔３６，３６に挿入し、支持板３２を支柱３の側面に当接する。この状態で、ブラケット１０から手を離しても該ブラケット１０は落下することはない。それから、前記保持部材１１の凹部３７を上方からブラケット１０の載置板３１に外嵌するとともに、嵌合突部３８の内部に係合片３５を挿入する。この状態で、保持部材１１はブラケット１０に対して前後左右に移動することはない。そして、前記横桟４を保持部材１１に上方から載置して、前記嵌合孔２９内に前記嵌合突部３８を抜け止め嵌合するとともに、上面板２７を保持部材１１の上面に載置し且つ側面板２８，２８の端縁を保持部材１１の両スペーサー３９，３９に当接して取付ける。この取付状態において、前記支柱３の側面と横桟４の端部間に前記保持部材１１のスペーサー３９，３９が介在するのである。従って、支柱３と横桟４がスチール製で形成されていても、合成樹脂からなるスペーサー３９がその間に介在しているので、壁面パネル装置に外圧が加わって支柱３と横桟４とに相対的に変位する力が作用しても、金属同士が擦れることがないので、金属音が発生しないのである。
【００２１】
本発明に係る壁面パネル装置は、室内空間を間仕切る場合には、前述の如く立設した支柱３，…の表裏両面に下パネル５Ａ，…と上パネル５Ｂ，…を装着して間仕切壁を形成するが、構造壁面に沿って設ける場合には、表面側にのみ下パネル５Ａ，…と上パネル５Ｂ，…を装着すれば良く、その場合に端から支柱３と下パネル５Ａとを順次組み立てていけば、支柱３，…の間隔は下パネル５Ａによって規定されるので、支柱３，３間に横桟４を架設しなくても良い。そこで、支柱３を強固に保持するために図８に示すような、Ｌ字形の固定金具４０を壁面Ｗをネジ止めするとともに、支柱３の側面にネジ止めする。尚、この固定金具４０の支柱３側に取付ける板片には、傾斜孔４１を形成してあり、支柱３の側面に形成した取付孔４２の壁面Ｗからの位置が、支柱３を立設する位置によって多少変動してもネジ止めできるようにしている。
【００２２】
次に、前記支柱３，…に下パネル５Ａと上パネル５Ｂを装着する構造を説明する。前記下パネル５Ａと上パネル５Ｂは、両側に形成した係合縁１７，１７のＵ字溝部１７Ａ，１７Ａを、両側に位置する支柱３，３の各保持部１４，１４の係合部１４Ｂ，１４Ｂに弾性的に嵌合するとともに、該下パネル５Ａの下部を前記支柱３の下端部とアジャスター部材６に取付けた前記パネル受具７によって支持し、その状態で前記中間連結具１２，１２を用いて下パネル５Ａの両側上端部を支柱３に連結し、そして上パネル５Ｂの両側下端部を前記中間連結具１２，１２に落とし込み係合した後、該上パネル５Ｂの上部を支柱３の上端部に装着した天連結具９によって抜け止めするとともに、左右に隣合った上パネル５Ｂ，５Ｂ同士を連結して装着するのである。
【００２３】
具体的には、前記パネル受具７は、図２、図３、図９〜図１１に示すように、前記支柱３の支柱部１３の側面、即ち前記保持部１４を突設していない面に接合する基板４３の両側に、前記支柱３の下端部のスリット２６，２６に挿入する突片４４，４４を下部に直角に延設するとともに、その上方に前記支柱部１３の前後面、即ち前記保持部１４を突設した面に接合する折曲板４５，４５を直角に形成し、各折曲板４５の上端に前記下パネル５Ａの切欠部１９の上端、即ち前記係合縁１７の下端１７Ｃを載置する水平な支持片４６を折曲形成し且つ該支持片４６の外側縁に逆Ｊ字形の弾片４７を立ち上げ形成し、更に前記折曲板４５の上部に前記支持片４６を補強するための折曲片４８を折曲形成したものである。また、前記支持片４６には、前記保持部１４の係合部１４Ｂを受け入れる平面視Ｕ字形の切欠４６Ａを形成している。
【００２４】
そして、前記支柱３の支柱部１３の下端部にアジャスター部材６のアジャスター受具２０を嵌挿し、支柱部１３の下端を三角ダボ２３を当止した状態で、前記パネル受具７の基板４３を支柱部１３の側面に接合し且つ両折曲板４５，４５を支柱部１３の前後面に接合した状態で、基板４３の上部に設けた通孔４９，４９に挿通したネジ５０，５０を支柱部１３に形成した螺孔５１，５１又は孔に螺合して固定する。
【００２５】
それから、前記下パネル５Ａを所定の装着位置よりも若干上方位置に、前記下パネル５Ａの一側のＵ字溝部１７Ａを対応する支柱３の係合部１４Ｂに斜め側方から係合した後、下パネル５Ａの他側を対応する他の支柱３に押圧し、前記係合部１４Ｂに案内部１７Ｂを摺接して係合縁１７を弾性変形させながら乗り越えさせて、Ｕ字溝部１７Ａを係合部１４Ｂに係合する。そして、前記下パネル５Ａを下方へスライド移動させて、前記係合縁１７の下端１７Ｃをパネル受具７の支持片４６の上面で載支するとともに、前記弾片４７を下パネル５Ａの表面板１５とＵ字溝部１７Ａとの間に嵌入して、ガタツキなく下パネル５Ａの下部を支持するのである。この状態で、後述する中間連結具１２，１２を両支柱３，３の対向側面側にそれぞれ取付けるのである。
【００２６】
また、上パネル５Ｂも下パネル５Ａと同様に両支柱３，３に係合する。即ち、所定の装着位置よりも若干上方位置に、前記上パネル５Ｂの一側のＵ字溝部１７Ａを対応する支柱３の係合部１４Ｂに斜め側方から係合した後、上パネル５Ｂの他側を対応する他の支柱３に押圧し、前記係合部１４Ｂに案内部１７Ｂを摺接して係合縁１７を弾性変形させながら乗り越えさせて、Ｕ字溝部１７Ａを係合部１４Ｂに係合する。そして、上パネル５Ｂを下方へスライド移動させて、下端両側部を後述する中間連結具１２，１２に落とし込み係合する。前記上パネル５Ｂを隣接する両支柱３，３間に装着し、下部を下パネル５Ａに載置し且つ中間連結具１２に係合した状態で、前記天連結具９にて下パネル５Ａの上部を更に確実に保持するのである。
【００２７】
ここで、前記天連結具９は、図４、図１３及び図１４に示すように、前記支柱部１３の保持部１４を突設した前面又は後面に接合する基板５２の中央部から下端へかけて前記首部１４Ａを受け入れる開口部５３を形成するとともに、該基板５２の上端に外向き、即ち支柱３の表面側に装着するものにあっては手前側へ直角に押え板５４を折曲形成し且つ該押え板５４の両端前縁に下向き係合爪５５，５５を折曲形成するとともに、両下向き係合爪５５，５５間の内方寄り位置に保持片５６，５６を折曲形成し、更に前記基板５２の下端部両縁に後向きに前記支柱部１３の両側面に接合する規制板５７，５７を直角に折曲形成するとともに、各規制板５７の一部を内方側へ切起して上方内方へ傾斜した戻止爪５８を形成したものである。
【００２８】
一方、前記上パネル５Ｂの上方縁板１６の端部には、前記下向き係合爪５５を係入する長方形の係合孔５９を形成し、また前記支柱３の支柱部１３の両側面であって上端部には、上方に縦長孔６０とその接近した下方に装着孔６１の一対を並設している。そして、前記支柱３の保持部１４の首部１４Ａを天連結具９の開口部５３に受け入れて、基板５２と両規制板５７，５７とで支柱部１３を包み込むように接合するとともに、前記戻止爪５８，５８を支柱部１３の両側面の縦長孔６０，６０内に遊嵌して装着する。この状態で、前述のように支柱３を天レール１と地レール２間に立設し、それから前述のように下パネル５Ａを装着した後、上パネル５Ｂの両係合縁１７，１７を支柱３，３の保持部１４，１４に係合し且つ下パネル５Ａに載支して上パネル５Ｂの下部を支持する。そして、最後に前記戻止爪５８が縦長孔６０に仮保持された状態の天連結具９を下方へ押し下げて両下向き係合爪５５，５５を隣接する上パネル５Ｂ，５Ｂの係合孔５９，５９に係入し且つ上パネル５Ｂの上方縁板１６を押え板５４で押さえると同時に、各戻止爪５８，５８が対応する装着孔６１，６１に戻り止め状態で係合するのである。この際、前記保持片５６，５６は、それぞれ対応する上パネル５Ｂの切欠部１９内に位置し、上方の前記縁板１６の切欠部１９を形成した端縁を当止し、該切欠部１９を形成したことに起因する上パネル５Ｂの上部両側部の強度低下によって該縁部が内方への変形することを抑制している。
【００２９】
前記天連結具９を所定位置に装着すると、前記基板５２の上部は、前記支柱３の首部１４Ａに形成したスリット２６に係入するとともに、開口部５３内に該スリット２６より下方の首部１４Ａを受け入れて保持し、更に両規制板５７，５７が支柱部１３の両側面に接合しているので、天連結具９から支柱３に対して前後左右に移動することがなく、その上、戻止爪５８が装着孔６１に戻り止め状態で係合しているので上方へ移動することもなく、そのため該天連結具９の下向き係合爪５５が係合孔５９に係入した上パネル５Ｂは前後左右の移動が規制されるとともに、上方への移動も規制されている。更に、支柱３を介して隣接した両上パネル５Ｂ，５Ｂ同士が、この天連結具９によって互いに連結されるのである。
【００３０】
最後に、図１５〜図１７に基づいて、前記下パネル５Ａと上パネル５Ｂとを連結し、支柱３に強固に取付けるための前記中間連結具１２を詳しく説明する。前述のように、前記下パネル５Ａと上パネル５Ｂには、上下部の前記切欠部１９，１９に接近した上下縁板１６，１６の両端部にそれぞれ横長の係合孔５９が形成されている。そして、前記中間連結具１２は、前記支柱部１３の側部に外嵌する取付部６２の一側縁又は両側縁に正面視略Ｊ字形のフック片６３を下方へ延設したものである。
【００３１】
具体的には、図１５に示すように、前記中間連結具１２の取付部６２は、前記支柱部１３の側面に接合する取付板６４の両側に支柱部１３の前後面に接合する保持板６５，６５を有し、更に保持板６５の上下部に支柱部１３の前後面に圧接する弾力性を有する押圧片６６，６６形成している。そして、前記フック片６３は、前記両保持板６５，６５の端縁を前後方向に折曲し、更にその端縁を保持板６５と平行に折り返したＬ字部６７の下方に延設し、その向きは前記保持板６５の折曲方向とは逆向きで、先端が上方へ向いた形状となっている。また、前記取付板６４には、支柱部１３の側面にネジ６８にて取付けることができるように、通孔６９，６９を形成し、対応する支柱部１３の側面には取付孔７０，７０を形成している。また、取付部６２を支柱部１３に取付ける手段は、前述のネジ止め以外にも嵌合手段によって取付けることも可能である。尚、本実施形態では、前記取付部６２の両側にフック片６３，６３を設けたが、片面パネルタイプ、即ち構造壁面に沿って設ける化粧壁のように前記支柱３の表側面にのみパネルを装着するタイプでは、前記フック片６３は取付部６２の一側にのみ設ければ足りるのである。
【００３２】
そして、前記中間連結具１２を用いて下パネル５Ａと上パネル５Ｂとを連結するには、先ず前述の如く両支柱３，３間に下パネル５Ａを装着する。それから、図１６（ａ）  に示すように、中間連結具１２を倒伏してフック片６３の先端を横向きにしてから、該フック片６３の先端部を前記下パネル５Ａの上方切欠部１９から差し入れる。その後、図１６（ｂ）  に示すように、中間連結具１２を立起させながら、フック片６３の先端を下パネル５Ａの上部縁板１６の係合孔５９に下方から貫通させた状態で、前記取付部６２を支柱部１３の側部に外嵌する。次に、図１６（ｃ）  に示すように、中間連結具１２を支柱部１３に沿って上方へスライドさせて、フック片６３の先端を下パネル５Ａの上部縁板１６から上方へ突出させた状態で、前記取付板６４の通孔６９，６９に側方から挿入したネジ６８，６８を取付孔７０，７０に螺合して取付ける。そして、前述のように隣接した両支柱３，３の係合部１４Ｂ，１４Ｂに上パネル５Ｂの両Ｕ字溝部１７Ａ，１７Ａを嵌合装着した後、図１７に示すように、前記上パネル５Ｂを支柱３に沿って下方へスライド移動させて、上パネル５Ｂの下部縁板１６の係合孔５９に、下パネル５Ａの上部縁板１６から上方へ突出したフック片６３の先端を係入し且つ上パネル５Ｂの下部縁板１６を下パネル５Ａの上部縁板１６に載支するのである。この取付状態においては、前記中間連結具１２の両側のＬ字部６７，６７は、上パネル５Ｂの下方切欠部１９内に位置している。
【００３３】
前記支柱３に取付けた中間連結具１２のフック片６３を介して、下パネル５Ａと上パネル５Ｂとを同時に連結した状態では、下パネル５Ａと上パネル５Ｂとに支柱３から引き離す外力が加わっても、前記中間連結具１２のフック片６３によって下パネル５Ａの上部と上パネル５Ｂの下部の変位を確実に規制するのである。また、本実施形態の中間連結具１２は、取付部６２の両側にフック片６３，６３を形成しているので、一つの中間連結具１２によって支柱３の表裏両面において下パネル５Ａと上パネル５Ｂとを同時に連結することが可能である。
【００３４】
また、下パネル５Ａと上パネル５Ｂの接合部の横方向中間部において、面外方向に各パネルが撓むことを確実に防止するため、図１に示したように、下パネル５Ａと上パネル５Ｂの接合部を挟んで上下方向にスペーサー部材７１を配置することも好ましい。このスペーサー部材７１は、断面略コ字形の比較的短い部材であり、その厚さは前記横桟４の厚さに一致し、表裏の下パネル５Ａ，５Ａの各石膏ボード１８，１８間に両面接着テープで貼着し、下パネル５Ａ，５Ａの間から上方へ突出した上部を、表裏の上パネル５Ｂ，５Ｂの各石膏ボード１８，１８間に位置させるのである。
【００３５】
【発明の効果】
以上にしてなる本発明の壁面パネル装置は、天井と床面にそれぞれ固定した天レールと地レール間に複数の支柱を立設し、該支柱を介してパネルを取付けるとともに、パネルの下部を前記支柱の下端部に取付けたパネル受具によって支持し、隣接するパネルの上端部同士と支柱の上端部とを天連結具にて連結してなる壁面パネル装置であって、前記支柱は支柱部の少なくとも前面に該支柱部から突出した首部と該首部の両側に突出した係合部とを有する断面略Ｔ字形の保持部を有し且つ前記首部の下端部にスリットを形成し、前記パネルは表面板の両側縁に前記保持部に嵌合するＵ字溝部を設けた係合縁を有し且つ該係合縁の下部に切欠部を有し、前記パネル受具は前記保持部を突設していない支柱部の側面に接合する基板の両側に折曲板を直角に形成し且つ両側下部に前記スリットに挿入する突片を直角に延設するとともに、上端両側部に前記パネルの係合縁の下端を載置する水平な支持片を折曲形成し且つ該支持片の外側縁に逆Ｊ字形の弾片を立ち上げ形成し、更に上部に前記支持片を補強するための折曲片を折曲形成したものであり、前記係合縁の下端を当該パネル受具の支持片で載支するとともに、前記弾片を前記表面板とＵ字溝部との間に嵌入してなるので、パネルを所定の装着位置よりも若干上方位置に、前記パネルの一側のＵ字溝部を対応する支柱の係合部に斜め側方から係合した後、パネルの他側を対応する他の支柱に押圧し、前記係合部にＵ字溝部を係合し、それからパネルを下方へスライド移動させるだけで、前記係合縁の下端をパネル受具の支持片の上面で載支するとともに、前記弾片をパネルの表面板とＵ字溝部との間に嵌入して、ガタツキなくパネルの下部を支持することができる。
【図面の簡単な説明】
【図１】本発明に係る壁面パネル装置の簡略分解斜視図である。
【図２】壁面パネル装置の下部構造を示す部分分解斜視図である。
【図３】同じく組立状態の部分縦断面図である。
【図４】壁面パネル装置の上部構造を示す部分分解斜視図である。
【図５】支柱に横桟を連結する構造を示す部分分解斜視図である。
【図６】同じく支柱と横桟の連結状態を示す部分横断面図である。
【図７】同じく支柱と横桟の連結状態を示す部分縦断面図である。
【図８】支柱を壁面に固定する場合の構造を示す部分分解斜視図である。
【図９】パネル受具を用いて下パネルの下部を支持する構造を示す分解斜視図である。
【図１０】同じく組立状態の壁面パネル装置の下部構造を示す部分縦断面図である。
【図１１】同じく組立状態の壁面パネル装置の下部構造を示す部分横断面図である。
【図１２】天連結具を用いて上パネルの上部を支持した組立状態の壁面パネル装置の上部構造を示す部分縦断面図である。
【図１３】同じく組立状態の壁面パネル装置の上部構造を示す部分正面図である。
【図１４】同じく組立状態の壁面パネル装置の上部構造を示す部分横断面図である。
【図１５】中間連結具を用いて下パネルと上パネルとを連結する構造を示す分解斜視図である。
【図１６】中間連結具を支柱の所定位置に取付ける手順を示す簡略説明図であり、（ａ）  は中間連結具を取付ける前の状態、（ｂ）  は中間連結具の取付途中の状態、（ｃ）  中間連結具を所定位置に装着した状態をそれぞれ示している。
【図１７】中間連結具を用いた下パネルと上パネルの連結構造を一部破談して示した部分正面図である。
【符号の説明】
１  天レール              １Ａ  垂直板
１Ｂ  凹溝                ２  地レール
２Ａ  垂直板              ２Ｂ  凹溝
３  支柱                  ４  横桟
５  パネル                ６  アジャスター部材
７  パネル受具            ８  天固定部材
９  天連結具              １０  ブラケット
１１  保持部材            １２  中間連結具
１３  支柱部              １４  保持部
１４Ａ  首部              １４Ｂ  係合部
１５  表面板              １６  縁板
１７  係合縁              １７Ａ  Ｕ字溝部
１７Ｂ  案内部            １７Ｃ  下端
１８  石膏ボード          １９  切欠部
２０  アジャスター受具    ２１  アジャスターボルト
２２  圧接片              ２３  三角ダボ
２４  凸部                ２５  固定片
２６  スリット            ２７  上面板
２８  側面板              ２９  嵌合孔
３０  開口                ３１  載置板
３２  支持板              ３３  上向き突片
３４  横向き突片          ３５  係合片
３６  係止孔              ３７  凹部
３８  嵌合突部            ３８Ａ  突部
３８Ｂ  スリット          ３９  スペーサー
４０  固定金具            ４１  傾斜孔
４２  取付孔              ４３  基板
４４  突片                ４５  折曲板
４６  支持片              ４６Ａ  切欠
４７  弾片                ４８  折曲片
４９  通孔                ５０  ネジ
５１  螺孔                ５２  基板
５３  開口部              ５４  押え板
５５  下向き係合爪        ５６  保持片
５７  規制板              ５８  戻止爪
５９  係合孔              ６０  縦長孔
６１  装着孔              ６２  取付部
６３  フック片            ６４  取付板
６５  保持板              ６６  押圧片
６７  Ｌ字部              ６８  ネジ
６９  通孔                ７０  取付孔
７１  スペーサー部材
Ｃ  天井                  Ｆ  床面
Ｗ  壁面
【図１】
0003575447.tif 000002
【図２】
0003575447.tif 000003
【図３】
0003575447.tif 000004
【図４】
0003575447.tif 000005
【図５】
0003575447.tif 000006
【図６】
0003575447.tif 000007
【図７】
0003575447.tif 000008
【図８】
0003575447.tif 000009
【図９】
0003575447.tif 000010
【図１０】
0003575447.tif 000011
【図１１】
0003575447.tif 000012
【図１２】
0003575447.tif 000013
【図１３】
0003575447.tif 000014
【図１４】
0003575447.tif 000015
【図１５】
0003575447.tif 000016
【図１６】
0003575447.tif 000017
【図１７】
0003575447.tif 000018